(57)【要約】【課題】地番に関する情報の管理をより簡易に実現すること。【解決手段】地図の画像を表示装置の画面上に表示させる表示制御部と、前記画面上に表示された地図上の任意の位置である指示位置の指定と、前記指示位置に関連する情報である属性情報と、をユーザから受け付け、前記画面における前記指示位置の座標である画面座標を取得する入力部と、前記画面座標に基づいて、前記地図における前記指示位置の座標である地図座標を取得する変換部と、前記変換部によって取得された前記地図座標に基づいて、前記指示位置における地番に関する情報である地番関連情報を取得する判定部と、前記属性情報と、前記地番関連情報とを含むブックマーク情報を登録するブックマーク制御部と、を備える地番検索装置。【選択図】図１
2018116563.tif 000002
【特許請求の範囲】
【請求項１】
地図の画像を表示装置の画面上に表示させる表示制御部と、
前記画面上に表示された地図上の任意の位置である指示位置の指定と、前記指示位置に関連する情報である属性情報と、をユーザから受け付け、前記画面における前記指示位置の座標である画面座標を取得する入力部と、
前記画面座標に基づいて、前記地図における前記指示位置の座標である地図座標を取得する変換部と、
前記変換部によって取得された前記地図座標に基づいて、前記指示位置における地番に関する情報である地番関連情報を取得する判定部と、
前記属性情報と、前記地番関連情報とを含むブックマーク情報を登録するブックマーク制御部と、
を備える地番検索装置。
【請求項２】
前記判定部は、前記変換部によって取得された前記地図座標に基づいて、前記指示位置における住所に関する情報である住所関連情報をさらに取得する、請求項１に記載の地番検索装置。
【請求項３】
前記ブックマーク制御部は、前記地図座標を示すように表示されるアイコンの画像を前記ブックマーク情報にさらに含めて登録する、請求項１又は２に記載の地番検索装置。
【請求項４】
地図の画像を表示装置の画面上に表示させる表示制御ステップと、
前記画面上に表示された地図上の任意の位置である指示位置の指定と、前記指示位置に関連する情報である属性情報と、をユーザから受け付け、前記画面における前記指示位置の座標である画面座標を取得する入力ステップと、
前記画面座標に基づいて、前記地図における前記指示位置の座標である地図座標を取得する変換ステップと、
前記変換ステップにおいて取得された前記地図座標に基づいて、前記指示位置における地番に関する情報である地番関連情報を取得する判定ステップと、
前記属性情報と、前記地番関連情報とを含むブックマーク情報を登録するブックマーク制御ステップと、
を有するブックマーク登録方法。
【請求項５】
請求項１から３のいずれか一項に記載の地番検索装置としてコンピュータを機能させるためのコンピュータプログラム。
【発明の詳細な説明】
【技術分野】
【０００１】
本発明は、地番の情報の管理技術に関する。
【背景技術】
【０００２】
従来、任意の場所の地番を調べる場合、予め明らかとなっている住所に基づいて検索する技術が提案されている（特許文献１参照）。このような技術では、住所と地番とが紐づいたデータベースを検索することによって、任意の住所の地番を取得することができる。また、検索された地番に関して、その場所に関する情報と地番との対応付けに管理は、紙媒体をベースとしたファイリングによって管理されてきた。
【先行技術文献】
【特許文献】
【０００３】
【特許文献１】特開２００２−１４９７８８号公報
【発明の概要】
【発明が解決しようとする課題】
【０００４】
しかしながら、上記の技術では、紙媒体をベースとした管理であるため、管理が煩雑であり管理コストがかかっていた。
上記事情に鑑み、本発明は、地番に関する情報の管理をより簡易に実現する事を可能とする技術の提供を目的としている。
【課題を解決するための手段】
【０００５】
本発明の一態様は、地図の画像を表示装置の画面上に表示させる表示制御部と、前記画面上に表示された地図上の任意の位置である指示位置の指定と、前記指示位置に関連する情報である属性情報と、をユーザから受け付け、前記画面における前記指示位置の座標である画面座標を取得する入力部と、前記画面座標に基づいて、前記地図における前記指示位置の座標である地図座標を取得する変換部と、前記変換部によって取得された前記地図座標に基づいて、前記指示位置における地番に関する情報である地番関連情報を取得する判定部と、前記属性情報と、前記地番関連情報とを含むブックマーク情報を登録するブックマーク制御部と、を備える地番検索装置である。
【０００６】
本発明の一態様は、上記の地番検索装置であって、前記判定部は、前記変換部によって取得された前記地図座標に基づいて、前記指示位置における住所に関する情報である住所関連情報をさらに取得する。
【０００７】
本発明の一態様は、上記の地番検索装置であって、前記ブックマーク制御部は、前記地図座標を示すように表示されるアイコンの画像を前記ブックマーク情報にさらに含めて登録する。
【０００８】
本発明の一態様は、地図の画像を表示装置の画面上に表示させる表示制御ステップと、前記画面上に表示された地図上の任意の位置である指示位置の指定と、前記指示位置に関連する情報である属性情報と、をユーザから受け付け、前記画面における前記指示位置の座標である画面座標を取得する入力ステップと、前記画面座標に基づいて、前記地図における前記指示位置の座標である地図座標を取得する変換ステップと、前記変換ステップにおいて取得された前記地図座標に基づいて、前記指示位置における地番に関する情報である地番関連情報を取得する判定ステップと、前記属性情報と、前記地番関連情報とを含むブックマーク情報を登録するブックマーク制御ステップと、を有するブックマーク登録方法である。
【０００９】
本発明の一態様は、上記の地番検索装置としてコンピュータを機能させるためのコンピュータプログラムである。
【発明の効果】
【００１０】
本発明により、地番に関する情報の管理をより簡易に実現する事が可能となる。
【図面の簡単な説明】
【００１１】
【図１】地番検索装置１の機能を示す概略ブロック図である。
【図２】住所関連情報の具体例を示す図である。
【図３】住所関連情報の具体例を示す図である。
【図４】地番関連情報の具体例を示す図である。
【図５】属性情報テーブルの具体例を示す図である。
【図６】地番検索装置１の処理の流れの具体例を示すフローチャートである。
【図７】住所関連情報を取得する処理（ステップＳ１０４）の具体例を示すフローチャートである。
【図８】図７のフローチャートで示される住所関連情報の取得処理の概念図である。
【図９】地番関連情報を取得する処理（ステップＳ３０３）の具体例を示すフローチャートである。
【図１０】図９のフローチャートで示される地番関連情報の取得処理の概念図である。
【図１１】出力部１２０に出力される映像信号の具体例を示す図である。
【図１２】出力部１２０に出力される映像信号の具体例を示す図である。
【図１３】ブックマークに登録された情報を画面に表示している具体例である。
【図１４】ブックマークに登録された情報を画面に表示している具体例である。
【発明を実施するための形態】
【００１２】
図１は、地番検索装置１の機能を示す概略ブロック図である。地番検索装置１は、パーソナルコンピュータやサーバ等の情報処理装置を用いて構成される。地番検索装置１は、バスで接続されたＣＰＵ（Central Processing Unit）やメモリや補助記憶装置などを備える。地番検索装置１は、地番検索プログラムを実行することによって、入力部１１０、出力部１２０、表示制御部１３０、地図情報記憶部１４０、変換部１５０、判定部１６０、住所関連情報記憶部１６１、地番関連情報記憶部１６２、ブックマーク情報記憶部１７０及びブックマーク制御部１８０を備える装置として機能する。なお、地番検索装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。地番検索プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。地番検索プログラムは、電気通信回線を介して送信されてもよい。
【００１３】
入力部１１０は、キーボード、ポインティングデバイス（マウス、タブレット等）、ボタン、タッチパネル等の既存の入力装置を用いて構成される。入力部１１０は、ユーザの指示を地番検索装置１に入力する際にユーザによって操作される。入力部１１０は、入力装置を地番検索装置１に接続するためのインタフェースであっても良い。この場合、入力部１１０は、入力装置においてユーザの入力に応じ生成された入力信号を地番検索装置１に入力する。入力部１１０は、例えばポインティングデバイスを用いてユーザによって指定された画面上の位置を示す座標（以下「画面座標」という。）を取得する。画面座標は、例えば表示装置の画面左上を原点として横方向の軸（例えばＸ軸）の値（例えばＸ座標値）と縦方向の軸（例えばＹ軸）の値（例えばＹ座標値）との組み合わせを用いて表されてもよい。入力部１１０は、例えばキーボードを用いてユーザによって指定された文字列を取得してもよい。
【００１４】
出力部１２０は、ＣＲＴ（Cathode Ray Tube）ディスプレイ、液晶ディスプレイ、有機ＥＬ（Electro Luminescence）ディスプレイ等の画像表示装置である。出力部１２０は、地図や地番に関する情報を表示する。出力部１２０は、画像表示装置を地番検索装置１に接続するためのインタフェースであっても良い。この場合、出力部１２０は、地図や地番を表示するための映像信号を生成し、自身に接続されている画像表示装置に映像信号を出力する。
【００１５】
表示制御部１３０は、出力部１２０における表示を制御する。
地図情報記憶部１４０は、磁気ハードディスクや半導体記憶装置などの記憶装置を用いて構成される。地図情報記憶部１４０は、地図を画面に表示するために必要となる情報（以下「地図情報」という。）を記憶する。
【００１６】
変換部１５０は、入力部１１０によって得られた画面座標を、出力部１２０においてポインティングデバイスによって指示された地図上の位置（以下「指示位置」という。）を示す座標（以下「地図座標」という。）に変換する。地図座標は、例えば緯度及び経度の値を用いて表されてもよい。
【００１７】
判定部１６０は、変換部１５０によって得られた地図座標に基づいて、指示位置を示す住所及び地番を判定する。判定部１６０は、例えば住所判定部１６３及び地番判定部１６４を備える。住所判定部１６３は、住所関連情報記憶部１６１に記憶されている情報と地図座標とに基づいて、指示位置の住所に関連する情報を取得する。地番判定部１６４は、地番関連情報記憶部１６２に記憶されている情報と地図座標とに基づいて、指示位置の地番に関連する情報を取得する。
【００１８】
住所関連情報記憶部１６１は、磁気ハードディスク装置や半導体記憶装置などの記憶装置を用いて構成される。住所関連情報記憶部１６１は、住所に関連する情報（以下「住所関連情報」という。）を記憶する。住所関連情報は、例えば図形情報及び文字列情報を有する。図形情報は、その住所が示す地域や区画の形を表す図形の情報である。図形情報は、例えば多角形の各角を示す座標の集合として表されてもよい。文字列情報は、住所の文字列を示す情報である。
【００１９】
住所関連情報は、階層構造を有する住所の各区画に応じたテーブルを有するように構成されてもよい。図２及び図３は、住所関連情報の具体例を示す図である。図２は、特に図形情報及び文字列情報の具体例を示す。図３は、特に階層構造の定義を示す情報（以下「階層構造情報」という。）の具体例を示す。
【００２０】
図２の例では、住所関連情報は、都道府県の住所関連情報を示す都道府県テーブルＤ１０１、市区郡町村の住所関連情報を示す市区郡町村テーブルＤ１０２、字丁目の住所関連情報を示す字丁目テーブルＤ１０３、番地の住所関連情報を示す番地テーブルＤ１０４及び号の住所関連情報を示す号テーブルＤ１０５として構成される。
【００２１】
都道府県テーブルＤ１０１は、都道府県ＩＤ、図形情報及び文字列情報の各値を有するテーブルを有する。都道府県ＩＤは、各都道府県を一意に表す識別情報である。図形情報は、同じテーブルの都道府県ＩＤが示す都道府県の領域を表す図形の情報である。文字列情報は、同じテーブルの都道府県ＩＤが示す都道府県名の文字列を示す。
【００２２】
市区郡町村テーブルＤ１０２は、市区郡町村ＩＤ、図形情報及び文字列情報の各値を有するテーブルを有する。市区郡町村ＩＤは、各市区郡町村を一意に表す識別情報である。図形情報は、同じテーブルの市区郡町村ＩＤが示す市区郡町村の領域を表す図形の情報である。文字列情報は、同じテーブルの市区郡町村ＩＤが示す市区郡町村名の文字列を示す。
【００２３】
字丁目テーブルＤ１０３は、字丁目ＩＤ、図形情報及び文字列情報の各値を有するテーブルを有する。字丁目ＩＤは、各字丁目を一意に表す識別情報である。図形情報は、同じテーブルの字丁目ＩＤが示す字丁目の領域を表す図形の情報である。文字列情報は、同じテーブルの字丁目ＩＤが示す字丁目の文字列を示す。
【００２４】
番地テーブルＤ１０４は、番地ＩＤ、図形情報及び文字列情報の各値を有するテーブルを有する。番地ＩＤは、各番地を一意に表す識別情報である。図形情報は、同じテーブルの番地ＩＤが示す番地の領域を表す図形の情報である。文字列情報は、同じテーブルの番地ＩＤが示す番地の文字列を示す。
【００２５】
号テーブルＤ１０５は、号ＩＤ、図形情報及び文字列情報の各値を有するテーブルを有する。号ＩＤは、各号を一意に表す識別情報である。図形情報は、同じテーブルの号ＩＤが示す号の領域を表す図形の情報である。文字列情報は、同じテーブルの号ＩＤが示す号の文字列を示す。
【００２６】
図３の例では、上述した各ＩＤの階層構造が示されている。例えば、都道府県ＩＤ“０１”の都道府県に１０の市区郡町村が含まれる場合には、都道府県ＩＤ“０１”に対して１０の市区郡町村ＩＤが関連づけて記憶される。このような関連づけが、全ての住所について都道府県ＩＤから号ＩＤまで定義されてもよい。階層構造情報を参照することによって、ある都道府県ＩＤが定まった際に、その都道府県に含まれる各市区町村のＩＤ、字丁目のＩＤ、番地のＩＤ及び号のＩＤが階層ごとに判定可能である。
【００２７】
地番関連情報記憶部１６２は、磁気ハードディスク装置や半導体記憶装置などの記憶装置を用いて構成される。地番関連情報記憶部１６２は、地番に関連する情報（以下「地番関連情報」という。）を記憶する。地番関連情報は、例えば図形情報及び文字列情報を有する。図形情報は、その地番が示す筆界の形を表す図形の情報である。図形情報は、例えば多角形の各角を示す座標の集合として表されてもよい。文字列情報は、地番の文字列を示す情報である。
【００２８】
図４は、地番関連情報の具体例を示す図である。図４の例では、地番関連情報は、地番ＩＤ、図形情報及び文字列情報の各値を有するテーブルを有する。地番ＩＤは、各地番を一意に表す識別情報である。図形情報は、同じテーブルの地番ＩＤが示す筆界の領域を表す図形の情報である。文字列情報は、同じテーブルの地番ＩＤが示す地番の文字列を示す。
【００２９】
ブックマーク情報記憶部１７０は、磁気ハードディスク装置や半導体記憶装置などの記憶装置を用いて構成される。ブックマーク情報記憶部１７０は、属性情報テーブルを記憶する。属性情報テーブルは、複数の属性情報レコードを有する。属性情報レコードは、属性情報の識別情報（ブックマークＩＤ）と、地番と、属性情報と、アイコン画像と、を対応付けて有する。図５は、属性情報テーブルの具体例を示す図である。属性情報レコードは、例えばブックマークＩＤ、名称、住所、地番、緯度、経度、電話番号、ファイル１、ファイル２、アイコン等の値を有する。ファイルは、写真データや動画データなどのデータファイルである。写真データや動画データはimage形式、mp4形式やpdf形式などの形式で保存されてもよい。アイコンは、アイコンとして登録される画像のデータである。
【００３０】
ブックマーク制御部１８０は、入力部１１０を介して属性情報を取得する。属性情報は、所定の地番に関する情報である。属性情報は、例えば、地番が示す土地の所有者の名称、地番が示す土地において使用される電話の番号、地番が示す土地においてユーザが登録することを希望する情報（以下「メモ情報」という。）、地番が示す土地における登記情報を示す画像、地番が示す土地に関する写真の画像、である。画像は、入力部１１０を介して取得されてもよいし、他の記録媒体や通信経路を介して取得されてもよい。ブックマーク制御部１８０は、変換部１５０によって得られた地図座標（例えば緯度及び経度）と、判定部１６０によって得られた地番及び住所と、属性情報と、アイコンと、を対応付けてブックマーク情報としてブックマーク情報記憶部１７０に登録する。なお、アイコンがユーザによって指定されない場合には、アイコンは登録されなくともよい。
【００３１】
図６は、地番検索装置１の処理の流れの具体例を示すフローチャートである。まず、表示制御部１３０は、入力部１１０に対するユーザの操作に応じて、ユーザによって指示された地域の地図情報を地図情報記憶部１４０から読み出す。表示制御部１３０は、読み出された地図情報に基づいて、地図を出力部１２０に表示する（ステップＳ１０１）。ユーザは、出力部１２０における地図の表示を見ながら、入力部１１０を用いて地図上で目的の位置を指示することができる。なお、ユーザはポインティングデバイスではなくキーボードを用いることによって文字入力で指示位置を指示してもよい。入力部１１０に対するユーザの操作によって地図上の位置における地番情報の表示が指示されると、変換部１５０は指示位置の画面座標を取得する（ステップＳ１０２）。
【００３２】
変換部１５０は、画面座標を変換することによって地図座標を取得する（ステップＳ１０３）。次に、判定部１６０は、変換部１５０によって取得された地図座標が示す指示位置の住所関連情報を取得する（ステップＳ１０４）。また、判定部１６０は、変換部１５０によって取得された地図座標が示す指示位置の地番関連情報を取得する（ステップＳ１０５）。次に、ユーザによってブックマーク情報の登録が指示されると、ブックマーク制御部１８０は表示制御部１３０を介して出力部１２０の画面に属性情報の入力欄を表示させる。ユーザによって属性情報の入力とアイコンの選択とが行われると、ブックマーク制御部１８０は、判定部１６０によって取得された住所関連情報及び地番関連情報と、入力された属性情報と、選択されたアイコンと、ステップＳ１０３で取得された地図座標とを含むブックマーク情報をブックマーク情報記憶部１７０に登録する（ステップＳ１０６）。そして、ブックマーク制御部１８０は、登録されたアイコンを、表示制御部１３０を介して出力部１２０の画面の画面座標の位置に表示する（ステップＳ１０７）。ユーザがアイコンをクリックすると、ブックマーク制御部１８０は、アイコンに対応付けて登録されたブックマーク情報を、表示制御部１３０を介して出力部１２０の画面の画面座標の位置に表示する（ステップＳ１０８）。
【００３３】
図７は、住所関連情報を取得する処理（ステップＳ１０４）の具体例を示すフローチャートである。住所判定部１６３は、変換部１５０によって取得された地図座標を取得する（ステップＳ４０１）。次に、住所判定部１６３は、各都道府県の図形情報に基づいて、取得された地図座標がいずれの都道府県の範囲にあるか判定する（ステップＳ４０２）。地図座標がいずれの都道府県の範囲にも含まれない場合（ステップＳ４０３−ＮＯ）、住所判定部１６３はエラーを出力する（ステップＳ４０４）。一方、地図座標がいずれかの都道府県の範囲に含まれる場合（ステップＳ４０３−ＹＥＳ）、住所判定部１６３は、地図座標を含む都道府県に属する市区郡町村の図形情報を取得する。
【００３４】
住所判定部１６３は、取得された市区郡町村の図形情報に基づいて、地図座標がいずれの市区郡町村の範囲にあるか判定する（ステップＳ４０５）。地図座標がいずれの市区郡町村の範囲にも含まれない場合（ステップＳ４０６−ＮＯ）、住所判定部１６３は、ステップＳ４０２の処理で地図座標が含まれると判定された都道府県の図形情報及び文字列情報を取得する（ステップＳ４０７）。一方、地図座標がいずれかの市区郡町村の範囲に含まれる場合（ステップＳ４０６−ＹＥＳ）、住所判定部１６３は、地図座標を含む市区郡町村に属する字丁目の図形情報を取得する。
【００３５】
住所判定部１６３は、取得された字丁目の図形情報に基づいて、地図座標がいずれの字丁目の範囲にあるか判定する（ステップＳ４０８）。地図座標がいずれの字丁目の範囲にも含まれない場合（ステップＳ４０９−ＮＯ）、住所判定部１６３は、ステップＳ４０２の処理で地図座標が含まれると判定された都道府県と、ステップＳ４０５の処理で地図座標が含まれると判定された市区郡町村と、の図形情報及び文字列情報を取得する（ステップＳ４１０）。一方、地図座標がいずれかの字丁目の範囲に含まれる場合（ステップＳ４０９−ＹＥＳ）、住所判定部１６３は、地図座標を含む字丁目に属する番地の図形情報を取得する。
【００３６】
住所判定部１６３は、取得された番地の図形情報に基づいて、地図座標がいずれの番地の範囲にあるか判定する（ステップＳ４０１）。地図座標がいずれの番地の範囲にも含まれない場合（ステップＳ４１２−ＮＯ）、住所判定部１６３は、ステップＳ４０２の処理で地図座標が含まれると判定された都道府県と、ステップＳ４０５の処理で地図座標が含まれると判定された市区郡町村と、ステップＳ４０８の処理で地図座標が含まれると判定された字丁目と、の図形情報及び文字列情報を取得する（ステップＳ４１３）。一方、地図座標がいずれかの番地の範囲に含まれる場合（ステップＳ４１２−ＹＥＳ）、住所判定部１６３は、地図座標を含む番地に属する号の図形情報を取得する。
【００３７】
住所判定部１６３は、取得された号の図形情報に基づいて、地図座標がいずれの号の範囲にあるか判定する（ステップＳ４１４）。地図座標がいずれの号の範囲にも含まれない場合（ステップＳ４１５−ＮＯ）、住所判定部１６３は、ステップＳ４０２の処理で地図座標が含まれると判定された都道府県と、ステップＳ４０５の処理で地図座標が含まれると判定された市区郡町村と、ステップＳ４０８の処理で地図座標が含まれると判定された字丁目と、ステップＳ４１１の処理で地図座標が含まれると判定された番地と、の図形情報及び文字列情報を取得する（ステップＳ４１６）。
【００３８】
一方、地図座標がいずれかの号の範囲に含まれる場合（ステップＳ４１５−ＹＥＳ）、住所判定部１６３は、ステップＳ４０２の処理で地図座標が含まれると判定された都道府県と、ステップＳ４０５の処理で地図座標が含まれると判定された市区郡町村と、ステップＳ４０８の処理で地図座標が含まれると判定された字丁目と、ステップＳ４１１の処理で地図座標が含まれると判定された番地と、ステップＳ４１４の処理で地図座標が含まれると判定された号と、の図形情報及び文字列情報を取得する（ステップＳ４１７）。
【００３９】
地図座標が図形情報が示す領域の範囲内にあるか否かの判定（以下「内外判定」という。）には、Crossing Number AlgorithmやWinding Number Algorithmなど既知のアルゴリズムが使用されてもよい。
【００４０】
図８は、図７のフローチャートで示される住所関連情報の取得処理の概念図である。Ｄ１は住所関連情報の具体例を示す。Ｄ２は、ある範囲内に地図座標が含まれるか否かの判定処理の概略を示す。Ｄ２には、縮尺がそれぞれ異なる地図の概念図Ｄ２０１〜Ｄ２０５が示される。Ｄ２に示される黒丸は、指示位置の地図座標を示す。
【００４１】
都道府県ＩＤ“０４”は、４つの点ａ，ｂ，ｃ，ｄで囲まれた領域であり、“Ｄ県”という名称の都道府県を示す。４つの点ａ，ｂ，ｃ，ｄで示されるＤ県は、Ｄ２０１に示される通り、指示位置の地図座標をその範囲内に含む。そのため、ステップＳ２０２の処理において、指示位置はＤ県内であると判定される。この場合、判定部１６０は、Ｄ県内に位置する各市区郡町村の図形情報を取得する。
【００４２】
市区郡町村ＩＤ“２０１”は、４つの点ａ１，ｂ１，ｃ１，ｄ１で囲まれた領域であり、“Ｃ区”という名称の市区郡町村を示す。４つの点ａ１，ｂ１，ｃ１，ｄ１で示されるＣ区は、Ｄ２０２に示される通り、指示位置の地図座標をその範囲内に含む。そのため、ステップＳ４０５の処理において、指示位置はＣ区内であると判定される。この場合、判定部１６０は、Ｃ区内に位置する各字丁目の図形情報を取得する。
【００４３】
字丁目ＩＤ“０３０１”は、５つの点ａ２，ｂ２，ｃ２，ｄ２，ｅ２で囲まれた領域であり、“○×１丁目”という名称の字丁目を示す。５つの点ａ２，ｂ２，ｃ２，ｄ２，ｅ２で示される○×１丁目は、Ｄ２０３に示される通り、指示位置の地図座標をその範囲内に含む。そのため、ステップＳ４０８の処理において、指示位置は○×１丁目内であると判定される。この場合、判定部１６０は、○×１丁目内に位置する各番地の図形情報を取得する。
【００４４】
番地ＩＤ“００５００１”は、４つの点ａ３，ｂ３，ｃ３，ｄ３で囲まれた領域であり、“１番”という名称の番地を示す。４つの点ａ３，ｂ３，ｃ３，ｄ３で示される１番は、Ｄ２０４に示される通り、指示位置の地図座標をその範囲内に含む。そのため、ステップＳ４１１の処理において、指示位置は１番内であると判定される。この場合、判定部１６０は、１番内に位置する各号の図形情報を取得する。
【００４５】
号ＩＤ“０００１４００００１”は、４つの点ａ４，ｂ４，ｃ４，ｄ４で囲まれた領域であり、“１号”という名称の番地を示す。４つの点ａ４，ｂ４，ｃ４，ｄ４で示される１号は、Ｄ２０５に示される通り、指示位置の地図座標をその範囲内に含む。そのため、ステップＳ４１４の処理において、指示位置は１号内であると判定される。この場合、判定部１６０は、住所の文字列として、“Ｄ県Ｃ区○×１丁目１番１号”を取得する。
【００４６】
図９は、地番関連情報を取得する処理（ステップＳ１０５）の具体例を示すフローチャートである。地番判定部１６４は、変換部１５０によって取得された地図座標を取得する（ステップＳ５０１）。次に、地番判定部１６４は、各地番の図形情報に基づいて、取得された地図座標がいずれの地番の範囲にあるか判定する（ステップＳ５０２）。地図座標がいずれの地番の範囲にも含まれない場合（ステップＳ５０３−ＮＯ）、地番判定部１６４はエラーを出力する（ステップＳ５０４）。一方、地図座標がいずれかの値算の範囲に含まれる場合（ステップＳ５０３−ＹＥＳ）、地番判定部１６４は、地図座標を含む地番の文字列情報及び図形情報を取得する（ステップＳ５０５）。なお、この処理においても、上述したCrossing Number AlgorithmやWinding Number Algorithmなどの既知のアルゴリズムが使用されてもよい。
【００４７】
図１０は、図９のフローチャートで示される地番関連情報の取得処理の概念図である。Ｄ３は地番関連情報の具体例を示す。Ｄ４は、地番の判定処理の概略を示す。Ｄ４に示される黒丸は、指示位置の地図座標を示す。
地番ＩＤ“２３０９”は、４つの点ａ５，ｂ５，ｃ５，ｄ５で囲まれた領域であり、“Ｄ県Ｃ区○×１丁目１番１号”という地番のＩＤである。４つの点ａ５，ｂ５，ｃ５，ｄ５で示される領域は、Ｄ４に示される通り、指示位置の地図座標をその範囲内に含む。そのため、ステップＳ５０２の処理において、指示位置を含む地番の情報は地番ＩＤ“２３０９”であると判定される。この場合、判定部１６０は、地番の文字列として、“Ｄ県Ｃ区○×１丁目１番１号”を取得する。また、判定部１６０は、筆界の情報（図形情報）として、４つの座標ａ５，ｂ５，ｃ５，ｄ５を取得する。
【００４８】
図１１は、出力部１２０に出力される映像信号の具体例を示す図である。図１１（Ａ）は、地図上の任意の位置がポインティングデバイスで指示されていることを示す図である。図１１（Ｂ）は、アイコンの具体例であり、ポインティングデバイスで指示された位置にアイコンが表示されていることを示す図である。
【００４９】
図１２は、出力部１２０に出力される映像信号の具体例を示す図である。図１２では、地番やその属性情報をブックマークに入力する際の入力欄の具体例が示されている。図１３は、ブックマークに登録された情報を画面に表示している具体例である。図１４は、ブックマークに登録された情報を画面に表示している具体例である。
【００５０】
このように構成された地番検索装置１では、ユーザが地図上で指示した位置を示す地番に関する情報が出力される。そのため、ユーザは、検索対象の位置の地番に関する情報を取得するに当たって、単に入力装置を操作して地図上でその位置を指示すればよい。そのため、従来必要とされていた作業（例えば検索対象となる住所の文字列を予め正しく知得しておくこと）が不要となる。したがって、検索対象となる地点の地番に関する情報をより容易に取得する事が可能となる。
また、地番検索装置１では、上述して指定された地番に対して、属性情報を含むブックマーク情報が登録される。そのため、ユーザは、地番に関連する情報（属性情報）を、紙ではなく地番検索装置１において電子的により簡易に管理することが可能となる。
【００５１】
（変形例）
地番検索装置１は、１つの筐体で構成される装置であってもよいし、複数の筐体に分けて構成される装置であってもよい。複数の筐体に分けて構成される場合には、上述した地番検索装置１の一部の機能が、ネットワークを介して物理的に離れた位置に実装されてもよい。
【００５２】
判定部１６０は、エラーを出力する処理（例えばステップＳ４０４の処理、Ｓ５０４の処理）において、エラーに代えてＮＵＬＬを出力してもよい。
【００５３】
住所関連情報の取得処理において、予め所定の検索領域が判明している場合は、住所判定部１６３は、図９に示される処理を途中から開始してもよい。例えば、検索領域の都道府県が予め判明している場合は、ステップＳ４０５から処理が開始されてもよい。
【００５４】
地番判定部１６４は、図１１に示されるフローチャートの処理に代えて、住所判定部１６３の判定結果に基づいて処理を行うことによって地番関連情報を取得してもよい。この場合、地番検索装置１は、住所関連情報と地番関連情報とが１対１で対応付けられたテーブルを記憶した記憶部を予め有している。地番判定部１６４は、上述したテーブルを参照することによって、住所判定部１６３によって得られた住所関連情報に対応付けられた地番関連情報を取得する。このように構成されることによって、図９及び図１１に示される処理を行う場合に比べて、より高速に地番関連情報を取得できる。
地番検索装置１において、地番関連情報の出力態様は、必ずしも表示装置による表示に限定されなくともよい。例えば、地番関連情報の出力は、音声出力として行われてもよいし、画像形成装置においてシート上への印刷として行われてもよいし、他の態様で行われてもよい。
【００５５】
以上、この発明の実施形態について図面を参照して詳述してきたが、具体的な構成はこの実施形態に限られるものではなく、この発明の要旨を逸脱しない範囲の設計等も含まれる。
【符号の説明】
【００５６】
１…地番検索装置，  １１０…入力部，  １２０…出力部，  １３０…表示制御部，  １４０…地図情報記憶部，  １５０…変換部，  １６０…判定部，  １６１…住所関連情報記憶部，  １６２…地番関連情報記憶部，  １６３…住所判定部，  １６４…地番判定部，  １７０…ブックマーク情報記憶部，  １８０…ブックマーク制御部
【図１】
2018116563.tif 000003
【図２】
2018116563.tif 000004
【図３】
2018116563.tif 000005
【図４】
2018116563.tif 000006
【図５】
2018116563.tif 000007
【図６】
2018116563.tif 000008
【図７】
2018116563.tif 000009
【図８】
2018116563.tif 000010
【図９】
2018116563.tif 000011
【図１０】
2018116563.tif 000012
【図１１】
2018116563.tif 000013
【図１２】
2018116563.tif 000014
【図１３】
2018116563.tif 000015
【図１４】
2018116563.tif 000016